(57)【特許請求の範囲】
【請求項１】
内部に排水路が形成されアンテナが設けられたアンテナ竪樋と、
前記アンテナ竪樋の上端に設けられ前記排水路に連通する接続口と、
下端部が前記接続口に挿通される竪樋と、
前記接続口の開口縁と前記竪樋との間に設けられた間隙と、
前記間隙を覆うカバー体と
を備え、
前記アンテナ竪樋は、当該アンテナ竪樋の上端部に設けられた上接続体を有しており、
前記上接続体の上面には雨水を受ける水受け部が形成されており、
前記接続口は水受け部の一部に設けられ、
前記接続口の開口周縁部に、上方に突出する複数の突起部が隔設されており、
前記カバー体が前記突起部に載置されている
ことを特徴とするアンテナ竪樋と竪樋との接続構造。
【請求項２】
前記カバー体は、
前記接続口よりも大きい閉塞板と、
この閉塞板に設けられ前記竪樋を挿通するための貫通孔と
を有している
ことを特徴とする請求項１記載のアンテナ竪樋と竪樋との接続構造。
【請求項３】
内部に排水路が形成されアンテナが設けられたアンテナ竪樋と、
前記アンテナ竪樋の上端に設けられ前記排水路に連通する接続口と、
下端部が前記接続口に挿通される竪樋と、
前記接続口の開口縁と前記竪樋との間に設けられた間隙と、
前記間隙を覆うカバー体と
を備えているアンテナ竪樋と竪樋との接続構造に用いられるカバー体であって、
前記アンテナ竪樋の前記接続口よりも大きい閉塞板と、
前記閉塞板に設けられ前記竪樋を挿通するための貫通孔と
を備え、
前記貫通孔は、
第１の大きさの竪樋の外形に沿って形成された孔部と、
第１の大きさよりも大きな第２の大きさの竪樋の外形に沿うよう前記孔部よりも外側に形成された切断可能部と
を有している
ことを特徴とするカバー体。
【発明の詳細な説明】
【技術分野】
【０００１】
本発明は、アンテナ竪樋と竪樋との接続構造及びこれに用いられるカバー体に関する。
【背景技術】
【０００２】
従来、竪樋に取り付けられるアンテナが知られている（例えば特許文献１参照）。この特許文献１記載のアンテナは、竪樋に対して後付け的に取り付けられる。この後付け用のアンテナは、電波を受信するアンテナ部が、竪樋の側面から側方に突出するよう取り付けられている。
【先行技術文献】
【特許文献】
【０００３】
【特許文献１】特開平０１−１６８１０１号公報
【発明の概要】
【発明が解決しようとする課題】
【０００４】
このようにこの特許文献１記載のアンテナは、竪樋に取り付けられると当該竪樋の側方に大きく膨出する。このため、この引用文献１記載のアンテナは、設置された状態では、外観上非常に目立つものであり、建物の外観を損なうおそれがある。
【０００５】
そこで本発明者は、排水機能を有し竪樋の一部を構成するアンテナ（以下、アンテナ竪樋という）を開発した（図１４参照）。このアンテナ竪樋１は、例えば、建物外壁に沿って固定された竪樋１００の一部を切除し、その切除した箇所に取り付けられる。アンテナ竪樋１はケーブルを介して電気機器に接続される。これによりアンテナ竪樋１は、竪樋１００の一部として機能するだけでなくアンテナとしても機能する。
【０００６】
アンテナ竪樋１は上端に開口１０１を有している。その開口１０１は、竪樋１００の外径よりも大きく形成されている。アンテナ竪樋１と竪樋１００とは、アンテナ竪樋１よりも上流側に位置する竪樋１００の下端部がアンテナ竪樋１の上記開口１０１内に挿入された状態で、相互に固定されている。
【０００７】
この接続状態において、アンテナ竪樋１の上端の開口１０１と、竪樋１００の外側面との間には、間隙１０２が生じる。このためこのままでは、この間隙１０２を通して、ゴミやチリや砂等が入り込んでしまうという問題がある。
【０００８】
本発明は、上記事情に鑑みてなされたものであり、その目的とするところは、竪樋内にゴミやチリや砂等が入り込みにくいようなアンテナ竪樋と竪樋との接続構造及びこれに用いられるカバー体を提供することにある。
【課題を解決するための手段】
【０００９】
本発明のアンテナ竪樋と竪樋との接続構造は、内部に排水路が形成されアンテナが設けられたアンテナ竪樋と、前記アンテナ竪樋の上端に設けられ前記排水路に連通する接続口と、下端部が前記接続口に挿通される竪樋と、前記接続口の開口縁と前記竪樋との間に設けられた間隙と、前記間隙を覆うカバー体とを備えていることを特徴とする。
【００１０】
またこのアンテナ竪樋と竪樋との接続構造において、前記カバー体は、前記接続口よりも大きい閉塞板と、この閉塞板に設けられ前記竪樋を挿通するための貫通孔とを有していることが好ましい。
【００１１】
またこのアンテナ竪樋と竪樋との接続構造において、前記アンテナ竪樋は、当該アンテナ竪樋の上端部に設けられた上接続体を有しており、前記上接続体の上面には雨水を受ける水受け部が形成されており、前記接続口は水受け部の一部に設けられ、前記接続口の開口周縁部に、上方に突出する複数の突起部が隔設されており、前記カバー体が前記突起部に載置されていることが好ましい。
【００１２】
本発明のカバー体は、上記アンテナ竪樋と竪樋との接続構造に用いられるカバー体であって、前記アンテナ竪樋の前記接続口よりも大きい閉塞板と、前記閉塞板に設けられ前記竪樋を挿通するための貫通孔とを備え、前記貫通孔は、第１の大きさの竪樋の外形に沿って形成された孔部と、第１の大きさよりも大きな第２の大きさの竪樋の外形に沿うよう前記孔部よりも外側に形成された切断可能部とを有していることを特徴とする。
【発明の効果】
【００１３】
本発明のアンテナ竪樋と竪樋との接続構造によれば、アンテナ竪樋の接続口の開口縁と竪樋との間の間隙を覆うようカバー体が設けられているため、竪樋内にゴミやチリや砂等が入り込みにくくすることができる。
【００１４】
また本発明のカバー体によれば、竪樋の外形に応じて貫通孔の形状を変えることができるため、竪樋内にゴミやチリや砂等が入り込みにくくすることができる。
【図面の簡単な説明】
【００１５】
【図１】本実施形態のアンテナ竪樋と竪樋との接続構造を示す斜視図である。
【図２】本実施形態のアンテナ竪樋が竪樋に取り付けられた状態の全体概略図である。
【図３】本実施形態のアンテナ竪樋の斜視図であり、一部破断している。
【図４】本実施形態のアンテナ竪樋の分解斜視図である。
【図５】本実施形態のアンテナの給電部の斜視図である。
【図６】本実施形態のアンテナの背面から見た斜視図である。
【図７】本実施形態の下接続体の分解斜視図である。
【図８】本実施形態の上接続体及び集水部の分解斜視図である。
【図９】本実施形態の上接続体のカバー部を省略した斜視図である。
【図１０】本実施形態のアンテナ竪樋の上端部を示す断面図である。
【図１１】本実施形態のカバー体の斜視図であり（ａ）は切断可能部を切断する前の図であり（ｂ）は切断可能部を切断した状態の図である。
【図１２】本実施形態のアンテナ竪樋と竪樋との接続部分の断面図である。
【図１３】本実施形態のアンテナ竪樋と竪樋との接続部分の斜視図であり、竪樋が角樋である場合を示している。
【図１４】（ａ）（ｂ）は参考例の斜視図である。
【発明を実施するための形態】
【００１６】
以下、本発明の実施形態について添付図面に基づいて説明する。
【００１７】
本実施形態のアンテナ竪樋１は、図２に示されるように、竪樋８の一部に組み込まれている。竪樋８は、建物外壁９０に沿って配置されている。竪樋８は、上下方向の一部が取り除かれている。アンテナ竪樋１は、竪樋８において、この取り除かれた箇所に取り付けられている。
【００１８】
なお、以下必要に応じて、竪樋８の一部を切除した状態において、上流側に位置する筒状の樋を「上流側の竪樋９１」と定義する。また、竪樋８の一部を切除した状態において、下流側に位置する筒状の樋を「下流側の竪樋９２」と定義する。
【００１９】
アンテナ竪樋１は、竪樋８の一部を構成する竪樋形状をしたアンテナである。言い換えると、アンテナ竪樋１は、排水機能を有するアンテナである。アンテナ竪樋１は、電波の受信用のアンテナを構成する。アンテナ竪樋１は、例えば、電気機器に接続される。電気機器は、例えば、テレビやラジオである。アンテナ竪樋１は、ケーブルを介して電気機器に接続される。アンテナ竪樋１は、図３等に示されるように、樋体１０と、外筒体１９と、上接続体４０と、下接続体５０とを備えている。
【００２０】
樋体１０は、筒状体１１により主体が構成されている。樋体１０は、図４に示されるように、この筒状体１１と、排水筒１２と、集水部１５と、アンテナ２とを備えている。樋体１０は、排水筒１２が筒状体１１の内部に配置されている。言い換えると樋体１０は、２重筒となっている。
【００２１】
筒状体１１は、断面円形の丸樋により構成されている。筒状体１１は、非導電性の合成樹脂により構成されている。筒状体１１は、上下方向に長さを有している。筒状体１１は、中心軸が上下方向に平行となるよう配置される。筒状体１１の上端には、略Ｕ字状の上位置決め溝１３が設けられている。また筒状体１１の下端には、略逆Ｕ字状の下位置決め溝１４が設けられている。
【００２２】
排水筒１２は、筒状体１１の内側に収容されている。排水筒１２は、非導電性の合成樹脂により構成されている。排水筒１２は上下方向に長さを有している。排水筒１２は、中心軸が上下方向に平行となるよう配置される。言い換えると排水筒１２の中心軸は、筒状体１１の中心軸と略一致している。排水筒１２の外径は、筒状体１１の内径よりも小さく形成されている。排水筒１２は、断面略楕円形に形成されている。排水筒１２は、上流側の竪樋９１と下流側の竪樋９２とを連通接続する。言い換えると排水筒１２は、上流側の竪樋９１と下流側の竪樋９２との間に位置する。
【００２３】
なお、断面略楕円形の排水筒１２の中心軸は、断面における短軸と長軸との交点を通る当該断面に直角な方向の直線と定義される。また排水筒１２は、断面円形であってもよい。
【００２４】
排水筒１２の内部には、排水路１８が形成されている。排水路１８は、上流側の竪樋９１と下流側の竪樋９２とに連通している。排水路１８は、上下方向に長さを有している。排水路１８の長手方向は、竪樋８の長手方向に略平行となっている。
【００２５】
排水筒１２は、筒状体１１の内面から径方向に一定以上の隙間を介して配置されている。言い換えると排水路１８は、アンテナ２のスロット２１から離れた位置に配置されている。
【００２６】
集水部１５は、上流側の竪樋９１の下端から吐出された雨水を受ける。集水部１５は、受けた雨水を集水し、これにより雨水を排水筒１２内に流し込む。集水部１５は、上端開口部１５５と、第１の固定部１５０と、第２の固定部１５１とを備えている。上端開口部１５５は、上接続体４０の接続口４５に連通接続される。第１の固定部１５０は、筒状体１１の上端に取り付けられる。第２の固定部１５１は、排水筒１２の上端に取り付けられる。言い換えると集水部１５は、筒状体１１と排水筒１２とを相互に固定する。第２の固定部１５１は開口を有している。この第２の固定部１５１の開口は上端開口部１５５に連通する。これにより第２の固定部１５１と排水筒１２とが接続されることで、集水部１５の上端開口部１５５と排水筒１２の内部とが連通する。
【００２７】
集水部１５は、上位置決め凹所１５２を有している。上位置決め凹所１５２は、筒状体１１の上位置決め溝１３と同じ位置に配置されている。
【００２８】
アンテナ２は電波を受信するためのものである。アンテナ２は、筒状体１１の外周部１６に取り付けられる。アンテナ２は、筒状体１１と外筒体１９との間に設けられる。アンテナ２は、図３に示されるように、筒状体１１の外周部１６に沿うよう外側から重ねられる。言い換えると、アンテナ２は、筒状体１１の外周部１６に積層される。なお、アンテナ２は筒状体１１の外周部１６の肉厚内に埋設されてもよい。
【００２９】
アンテナ２は、導電性を有する金属板材（金属箔も含まれる）により構成されている。アンテナ２は、図４に示されるように、断面略Ｃ字状となっている。アンテナ２は、縦長矩形状の金属板材を短辺方向がＣ字状となるよう長辺方向に一様に湾曲させることで形成される。
【００３０】
アンテナ２は、スロットアンテナ２０により構成されている。スロットアンテナ２０は、上下方向に複数のスロット２１が形成されている。アンテナ２は指向性を有している。スロット２１は、上下方向に複数並設されている（本実施形態では２箇所）。スロット２１同士は、スリット状の細溝２２で接続されている。スロット２１は、スロットアンテナ２０の周方向の一部に形成されている。
【００３１】
各スロット２１は、金属板材を貫通する開口孔により形成されている。各スロット２１は、ボウタイ形状に形成されている。ボウタイ形状とは、一対の三角形の頂点同士を互いに突き合わせたような形状と定義される。
【００３２】
また、上方側のスロット２１は、給電部２３を有している。給電部２３は、上方側のスロット２１の上下方向の略中央に設けられている。給電部２３は、周方向に対向する三角状片２４の頂点部分で形成されている。
【００３３】
給電部２３には、図５に示されるように、同軸ケーブル７５が電気的に接続される。同軸ケーブル７５は、中央の電線と、外側の網線とを有している。同軸ケーブル７５は、中央の電線が一方の三角状片２４に接続され、外側の網線が他方の三角状片２４に接続される。同軸ケーブル７５は、アンテナ２により受信した電波を、室内側の電気機器に出力するために用いられる。同軸ケーブル７５は、第一端が給電部２３に接続され、第二端が、上接続体４０に設けられた接続具４２２に接続される（図９等参照）。
【００３４】
本実施形態のアンテナ２は、図４に示されるように、第一の受信部２６と、第二の受信部２７とを有している。第一の受信部２６は、第一の周波数帯（例えば４７３〜６００ＭＨｚ）の電波を受信する。第二の受信部２７は、第二の周波数帯（例えば６００〜７２０ＭＨｚ）の電波を受信する。
【００３５】
第一の受信部２６は、スロット２１及び当該スロット２１の開口周縁部により構成される。第二の受信部２７は、このスロット２１に上下方向に隣接する周方向に連続した金属板材により構成される。
【００３６】
第一の受信部２６を構成するスロット２１の上下方向の長さは、前記第一の周波数帯内の電波の電気的な半波長の長さに応じて決定される。また、第二の受信部２７の周方向の長さは、前記第二の周波数帯内の電波の電気的な半波長の長さに応じて決定される。
【００３７】
また、図６に示されるように、アンテナ２の周方向の両端間には、隙間２８が形成されている。隙間２８は、上下方向の全長に亘って形成されている。隙間２８は、スロット２１に対向する。言い換えると隙間２８は、アンテナ２の円弧中心を挟んで、スロット２１とは対極の位置となるよう配置される。
【００３８】
またアンテナ２は、スロット２１の背部に抜き部２９が形成されている。抜き部２９は、金属板材が存在しない部分であって、正面から見てスロット２１と重なる位置に設けられている。抜き部２９は、上下方向の長さがスロット２１の上下方向の長さよりも長く、且つ周方向の長さがスロット２１の周方向の長さよりも長く形成されている。
【００３９】
このアンテナ２は、図４に示されるように、保護シート２５が金属板材に積層された構造となっている。保護シート２５は、非導電性となっている。これによりアンテナ２は、錆の発生が抑制される。
【００４０】
アンテナ２は、下嵌入溝２５１と、上嵌入溝２５２とを有している。下嵌入溝２５１は、アンテナ２の下端部に設けられている。下嵌入溝２５１は、下接続体５０の下位置決め凹所５７及び筒状体１１の下位置決め溝１４と重なる位置に配置される。上嵌入溝２５２は、アンテナ２の上端部に設けられている。上嵌入溝２５２は、集水部１５の上位置決め凹所１５２及び筒状体１１の上位置決め溝１３と重なる位置に配置される。
【００４１】
なお、アンテナ２には、保護シート２５が設けられていなくてもよい。
【００４２】
このような構成のアンテナ２は、図３に示されるように、裏面が筒状体１１の外周部１６に当接した状態で取り付けられる。アンテナ２は、筒状体１１の外周部１６に巻き付けられた状態で、その外側から取付部材７により押さえられて固定される。
【００４３】
取付部材７は、図４に示されるように、平面視円環状に形成されている。取付部材７は、第１の部材７１と、第２の部材７２とに分割されている。第１の部材７１と第２の部材７２とは、相互に着脱自在に連結される。取付部材７は、図５に示されるように、給電固定部７３と、ケーブル保持部７４とを備えている。給電固定部７３は、給電部２３において同軸ケーブル７５の端部を保持・固定する。ケーブル保持部７４は、同軸ケーブル７５の中間部分を保持する。ケーブル保持部７４は、スロット２１に対して周方向にずれた位置に同軸ケーブル７５を固定する。これによりケーブル保持部７４は、同軸ケーブル７５がスロット２１に重なるのを防ぐ。
【００４４】
取付部材７は、上位置決め突起（図示せず）と、下位置決め突起（図示せず）とを備えている。上位置決め突起は、集水部１５の上位置決め凹所１５２及び筒状体１１の上位置決め溝１３に挿入される。下位置決め突起は、下接続体５０の下位置決め凹所５７及び筒状体１１の下位置決め溝１４に挿入される。これにより取付部材７は、筒状体１１とアンテナ２との相対位置を固定する。言い換えると取付部材７は、筒状体１１に対し、アンテナ２を周方向に位置決めする。
【００４５】
外筒体１９は、図４に示されるように、断面円形状に形成されている。外筒体１９は、樋体１０の外側に配置されている。外筒体１９の内径は、樋体１０の外径よりも大きく形成されている。外筒体１９は、非導電性の合成樹脂により構成されている。外筒体１９は上下方向に長さを有している。外筒体１９は、中心軸が上下方向に平行となるよう配置されている。言い換えると、外筒体１９の中心軸は、樋体１０の中心軸と略一致している。これによりアンテナ竪樋１は３重筒構造となっている。
【００４６】
本実施形態のアンテナ竪樋１は、図３，４に示されるように、樋体１０及び外筒体１９の下端に下接続体５０が設けられている。またアンテナ竪樋１は、樋体１０及び外筒体１９の上端に上接続体４０が設けられている。
【００４７】
下接続体５０は、樋体１０の下端に固定される。また下接続体５０は、外筒体１９の下端にも固定されている。下接続体５０は、回動体５１と、保持体６０とを備えている。回動体５１は、樋体１０及び外筒体１９に固定される。回動体５１は、保持体６０に回転自在に取り付けられている。保持体６０は、回動体５１を支持する。保持体６０は、例えば、建物外壁に樋控え具８０を介して固定される。
【００４８】
回動体５１は、保持体６０に中心軸廻りに回動自在に支持されている。回動体５１は、排水筒１２と筒状体１１と外筒体１９とを相互に固定する。これにより回動体５１は、排水筒１２と筒状体１１と外筒体１９とを一体的に回転可能とさせる。回動体５１は、図７に示されるように、嵌合部５４と、流出口５６とを備えている。嵌合部５４は開口を有している。嵌合部５４の開口は、流出路５５を介して流出口５６に連通している。
【００４９】
保持体６０は、回動体５１を回動自在に支持する。言い換えると保持体６０は、樋体１０を中心軸廻りに回動自在に支持する。保持体６０は、自重受け突部６２を有している。自重受け突部６２は、保持体６０の上端からフランジ状に径方向外側に突出している。自重受け突部６２は、図３に示されるように、保持体６０が樋控え具８０に保持されると、当該樋控え具８０上端に当接する。つまり保持体６０は、自重受け突部６２と樋控え具８０とにより、下方にずれないように保持される。この自重受け突部６２は、保持体６０において、周方向の全長に亘って形成されている。
【００５０】
下接続体５０は、樋体１０を下流側の竪樋９２に接続するために設けられている。言い換えると下接続体５０は、下流側の竪樋９２と樋体１０とを連通接続する。下接続体５０の保持体６０は、下流側の竪樋９２に対し非回転となるよう固定される。これにより、回動体５１が下流側の竪樋９２に対して回動自在となっている。言い換えると、樋体１０及びアンテナ２及び外筒体１９が、下流側の竪樋９２に対して、回動自在となっている。
【００５１】
上接続体４０は、図３に示されるように、樋体１０の上端に設けられている。言い換えると上接続体４０は、アンテナ竪樋１の上端部に設けられている。上接続体４０は、図４に示されるように、回転部４２と、カバー部４３とを備えている。また、カバー部４３は、接続口４５と、水受け部４３１とを有している。言い換えると上接続体４０は、接続口４５と、水受け部４３１とをさらに備えている。接続口４５は、アンテナ竪樋１の上端に設けられている。接続口４５は、排水路１８に連通している。接続口４５には、上流側の竪樋９１の下端部が挿通される。接続口４５は、下接続体５０の流出口５６に連通している。
【００５２】
回転部４２は、樋体１０の中心軸廻りに回転自在となっている。回転部４２は、樋体１０及び外筒体１９に対し回動自在となっている。回動部４２は、集水部１５の廻りを回転する。回転部４２は、図８に示されるように、膨出部４２０を有している。膨出部４２０は、樋体１０の外周面よりも側方（水平方向）に膨出している。また膨出部４２０は、外筒体１９の外周面よりも側方（水平方向）に膨出している。膨出部４２０には、図９に示されるように、接続具４２２が取り付けられている。また、回転部４２は、取出用孔４２１を有している。取出用孔４２１は、樋体１０の中心軸を中心とした弧状の長孔である。取出用孔４２１は上下方向に貫通している。膨出部４２０は、取出用孔４２１を通して、アンテナ２に接続された同軸ケーブル７５が、膨出部４２０上に取り出される。
【００５３】
膨出部４２１には、ケーブル取出部４２４が設けられている。ケーブル取出部４２４には、接続具４２２が取り付けられている。より詳しく説明すると、ケーブル取出部４２４に取り付けられた接続具４２２は、外部に露出する。接続具４２２は、膨出部４２０の上方から挿通され、膨出部４２０の下面から下方に突出する。接続具４２２は、同軸ケーブル７５の第二端に（すなわち、アンテナ２側とは反対側の端部に）電気的に接続されている。
【００５４】
カバー部４３は、図８に示すように、回転部４２を覆う。カバー部４３は回転部４２に着脱自在となっている。カバー部４３は、水受け部４３１と、側面部４３２とを備えている。水受け部４３１には立設片４３３が設けられている。また水受け部４３１には、接続口４５が設けられている。言い換えると、接続口４５は、水受け部４３１の一部に設けられている。水受け部４３１は、略水平面により構成されている。水受け部４３１は、膨出部４２０の上方に位置している。水受け部４３１は、膨出部４２０を上方から覆う。
【００５５】
立設片４３３は、水受け部４３１の外縁から上方に突出している。立設片４３３は環状に形成されている。言い換えると立設片４３３は、水受け部４３１の外縁を全周に亘って囲む。これにより立設片４３３は、水受け部４３１に溜まった雨水が外側に漏れるのを防ぐ。
【００５６】
側面部４３２は、水受け部４３１の外縁から下方に延設されている。側面部４３２は、回転部４２よりも大きく形成されている。側面部４３２は、回転部４２の側方を覆うよう構成されている。
【００５７】
接続口４５は、図１２に示されるように、上流側の竪樋９１の外径よりも大きく形成されている。言い換えると、竪樋８にアンテナ竪樋１を設置すると、接続口４５の開口縁と上流側の竪樋９１との間に、間隙８４が形成される。接続口４５は、垂下片４５１を有している。垂下片４５１は、開口内周縁から下方に向けて延設されている。垂下片４５１は、水受け部４３１が集水部１５の上端開口部１５５に当接又は近接対向すると、集水部１５の上端開口部１５５の内側に位置する。これにより接続口４５は、集水部１５の上端開口部１５５に接続される。
【００５８】
水受け部４３１は、図８に示されるように、接続口４５の周縁部に設けられた段部４９を有している。段部４９は、接続口４５の開口周縁部の全周に亘って設けられている。段部４９は、接続口４５の開口周縁が凹没して形成されている。段部４９は、後述のロック部材４４が入り込むことで、ロック部材４４の上面と水受け部４３１の上面とを面一とさせる。
【００５９】
上接続体４０は、樋体１０に対し中心軸廻りに回転する。詳しく説明すると、上接続体４０は、樋体１０に対して上方に持ち上げられると、回転許容状態となる。また上接続体４０は、自重にて下方に下がり、樋体１０に対して所定の位置に位置すると、回転規制状態となる。回転規制状態は、樋体１０に対し上接続体４０の回転が規制された状態と定義される。言い換えると、上接続体４９は、樋体１０から上方に離れると回転許容状態となる。また上接続体４９は、自然状態では回転規制状態となる。なおここで言う自然状態とは、上接続体４０が持ち上げられていない状態と定義される。
【００６０】
集水部１５は、図８に示されるように、嵌合凸部１５３を有している。嵌合凸部１５３は、集水部１５の側面に設けられている。嵌合凸部１５３は複数設けられている。嵌合凸部１５３は、周方向に連続している。嵌合凸部１５３は、上方に突出した山形状となっている。
【００６１】
上接続体４０の回転部４２は、嵌合凸部１５３に嵌合する嵌合凹部４２３を有している。回転部４２は挿入開口４２５を有している。挿入開口４２５には集水部１５が挿入される。嵌合凹部４２３は、この挿入開口４２５の内周面（集水部１５の側面との対向面）に設けられている。嵌合凹部４２３は、下方に凹形状となっており、言い換えると下方に開口している。嵌合凹部４２３は複数設けられている。嵌合凹部４２３は、挿入開口４２５の半周に亘って並設されている。
【００６２】
集水部１５を回転部４２の挿入開口４２５内に挿入すると、嵌合凸部１５３が嵌合凹部４２３に凹凸嵌合する。これにより回転部４２は、回転規制状態となる。また回転部４２は、樋体１０から離れる側（つまり上方）に移動すると、嵌合凸部１５３と嵌合凹部４２３との嵌合状態が解除され、回転許容状態となる。
【００６３】
アンテナ竪樋１は、ロック部材４４をさらに備えている。ロック部材４４は、回転部４２を回転規制状態に保持する。ロック部材４４は、上接続体４と樋体１０との相対的な回転を規制するか又は前記相対的な回転を許容するかを選択的に行なう。ロック部材４４は、回転部４２の回転を、樋体１０の中心軸廻りの任意の位置で規制する。
【００６４】
ロック部材４４は、平面視円環状をしている。ロック部材４４は、接続口４５の開口に沿って回転自在となるよう配置される。ロック部材４４は、水受け部４３１の段部４９内に配置される。これによりロック部材４４の上面は、水受け部４３１の上面と面一となる。
【００６５】
ロック部材４４は、押圧部４４１と、保持部４４２と、突起部４８とを備えている。押圧部４４１は、カバー部４３の上端に当接する。押圧部４４１は、円環状に形成されている。押圧部４４１は、フランジ状に形成されている。保持部４４２は、押圧部４４１の内周縁から下方に向けて突設されている。保持部４４２は、接続口４５内に回転自在に嵌め込まれる。保持部４４２は、突起４４３を有している。突起４４３は、径方向外側に突出している。
【００６６】
突起部４８は、押圧部４４１の上面に設けられている。突起部４８は、上方に向けて突出している。突起部４８は、複数設けられている。突起部４８は、押圧部４４１の上面に複数隔設されている。言い換えると突起部４８は、接続口４５の開口周縁部に隔設されている。一対の突起部４８からなる突起部群は、９０°ごとに周方向に離れて配置されている。なお突起部４８は、ロック部材４４のつまみ部を兼ねている。
【００６７】
集水部１５は、ガイド突条１５４を有している。ガイド突条１５４は、集水部１５の内側面に設けられている。ガイド突条１５４は、ロック部材４４の保持部４４２の突起４４３と係合する。ガイド突条１５４は、傾斜部１５６と、水平部１５７とを備えている。傾斜部１５６は、周方向において第一端から第二端側に行くほど下方に位置する。また傾斜部１５６は漸次下方に位置するよう傾斜する。水平部１５７は、傾斜部１５６の第一端から周方向に連設されている。
【００６８】
ロック部材４４の保持部４４２の突起４４３は、図１０に示すように、集水部１５のガイド突条１５４に係止する。これによりロック部材４４は、回転するに際し、ガイド突条１５４にガイドされる。詳しく説明すると、ロック部材４４が回転すると、突起４４３がガイド突条１５４の傾斜部１５６の下面に沿って移動する。これによりガイド突条１５４はロック部材４４を下方に押し下げる。さらにロック部材４４が回転すると、突起４４３が水平部１５７にまで移動する。このとき保持部４４２は、押圧部４４１を、樋体１０に対して上下方向に移動規制した状態で保持する。
【００６９】
ロック部材４４が下方に押し下げられると、押圧部４４１は上接続体４０を樋体１０側に向けて押し下げる。これにより、嵌合凸部１５３と嵌合凹部４２３とが凹凸嵌合され、この状態で保持される。この結果、アンテナ竪樋１は、上接続体４０と前記樋体１０との相対的な回転が任意の回転位置で規制される。
【００７０】
またロック部材４４が反対側に回転すると、保持部４４２の突起４４３が、傾斜部１５６に沿って上方に移動する。そして押圧部４４１が樋体１０から離れる方向に移動する。これにより上接続体４０は、樋体１０に対して相対的に持ち上げることが可能となる。この結果、アンテナ竪樋１は、上接続体４０と樋体１０との相対的な回転を許容する状態となる。
【００７１】
以上のような構成のアンテナ竪樋１は、図２に示されるように、建物外壁９０に沿って設置された竪樋８の一部を構成する。
【００７２】
竪樋８は丸樋である。丸樋は、断面円形の樋と定義される。竪樋８は、上下方向に長さを有している。竪樋８は内部に流路を有している。竪樋８の流路は、上下方向に長く形成されている。丸樋の外径は、接続口４５よりも小径に形成されている。言い換えると、丸樋は、接続口４５内に挿通できるようになっている。
【００７３】
竪樋８は角樋であってもよい。角樋は、図１３に示されるように、断面形状において角部を有する樋である。角樋は、例えば、断面三角形状の樋、断面四角形状の樋、断面五角形状の樋等が含まれる。角樋は、水平断面において、接続口４５よりも小さく形成されている。言い換えると、角樋は、接続口４５内に挿通できるようになっている。
【００７４】
建物外壁９０には雨水を流す樋構造が設けられている。樋構造は、図２に示されるように、軒樋９４と、集水器９５と、第１のエルボ９６と、呼び樋９７と、第２のエルボ９８、竪樋８とを備えている。軒樋９４は、建物の屋根の下端部に設けられている。軒樋９４は、屋根下端に沿って配置されている。軒樋９４には集水器９５が取り付けられている。集水器９５には第１のエルボ９６が接続されている。第１のエルボ９６には呼び樋９７が接続されている。呼び樋９７には第２のエルボ９８が接続されている。第２のエルボ９８には上流側の竪樋９１が接続されている。上流側の竪樋９１は、下流側の竪樋９２と上下に離間している。下流側の竪樋９２の下端は、排水溝（図示せず）に接続されている。
【００７５】
アンテナ竪樋１は、上流側の竪樋９１と下流側の竪樋９２との間に接続される。アンテナ竪樋１は、下流側の竪樋９２の上端に接続されている。これにより下流側の竪樋９２の流路は、アンテナ竪樋１の排水路１８に連通する。上流側の竪樋９１の下端は、アンテナ竪樋１の接続口４５内に挿入されている。これにより上流側の竪樋９１の流路は、アンテナ竪樋１の排水路１８に連通する。
【００７６】
図１２に示されるように、アンテナ竪樋１の接続口４５と竪樋８外面との間には間隙８４が生ずる。アンテナ竪樋１と竪樋８との接続構造は、カバー体３を備えている。カバー体３は、間隙８４を上方から覆うものである。
【００７７】
カバー体３は、図１１に示されるように、板状をしている。カバー体３は、閉塞板３１と、貫通孔３２とを備えている。閉塞板３１は、カバー体３の主体を構成する。閉塞板３１は円盤状をしている。閉塞板３１は板状である。閉塞板３１の外径は、接続口４５の内径よりも大きく形成されている。言い換えると、閉塞板３１は、接続口４５よりも大きく形成されている。なお閉塞板３１の外径は、立設片４３３間の距離よりも小さく形成されている。
【００７８】
貫通孔３２は閉塞板３１を貫通する。貫通孔３２内には竪樋８が挿通される。貫通孔３２は、孔部３３と、切断可能部３４と、覆い片３７とを備えている。孔部３３は、第１の大きさの竪樋８２の外形に沿って形成されている。第１の大きさの竪樋８２は丸樋である。言い換えると、孔部３３は丸樋の外形に沿って形成されている。孔部３３の内径は、丸樋（竪樋８）の外径と略同寸法に形成されている。孔部３３の開口縁の形状は、丸樋の外形に適合する。
【００７９】
切断可能部３４は、簡単に切断することができるよう形成された部位である。切断可能部３４は、閉塞板３１と覆い片３７との間に形成されている。切断可能部３４は、閉塞板３１と覆い片３７とを連結する。切断可能部３４は、第２の大きさの竪樋８３の外形に沿って形成されている。切断可能部３４は、孔部３３よりも外側に形成されている。第２の大きさの竪樋８３は角樋である。言い換えると、切断可能部３４は、角樋の外形に沿って形成されている。切断可能部３４は角樋の外形に適合する。
【００８０】
切断可能部３４は、スリット３６と連結部３５とを備えている。スリット３６は、連結部３５の間に位置している。なお切断可能部３４は、スリット３６を有していなくてもよい。切断可能部３４は、全長に亘って設けられた薄肉状の連結部３５であってもよい。
【００８１】
覆い片３７は、切断可能部３４が切断されるまでは、接続口４５と竪樋８との間の間隙８４の一部を覆う。覆い片３７の内縁は、孔部３３の一部を形成する。覆い片３７は、角樋の角部に配置されている。覆い片３７は、閉塞板３１と一体形状となっている。
【００８２】
このような構成のカバー体３は、図１に示されるように、上流側の竪樋９１に取り付けられる。カバー体３の貫通孔３２は、上流側の竪樋９１の下端に挿入される。カバー体３は、アンテナ竪樋１の接続口４５の突起部４８に載置される。これにより、カバー体３は、アンテナ竪樋１の接続口４５と竪樋８との間の間隙８４を覆う。
【００８３】
竪樋８が角樋である場合、施工者は、竪樋８に設置する前に予め、カバー体３の切断可能部３４を切断する（図１１（ｂ）参照）。この後カバー体３は、図１３に示されるように、上流側の竪樋９１に取り付けられる。カバー体３は、同様にアンテナ竪樋１の接続口４５の突起部４８に載置される。これにより、カバー体３は、アンテナ竪樋１の接続口４５と竪樋８との間の間隙８４を覆う。
【００８４】
なお、上流側の竪樋９１及び下流側の竪樋９２は、端部が樋控え具９９を介して外壁９０に固定されている。また、本実施形態のアンテナ竪樋１は、非導電性樹脂により形成された樋控え具８０により固定されている。このように、本実施形態のアンテナ竪樋１は、設置されると、建物の外壁９０に沿って設置された竪樋の一部を構成する。
【００８５】
本実施形態のアンテナ竪樋１を設置するには、施工者は、まずカバー体３を竪樋８に設置する。施工者は、上接続体４０の接続口４５に上流側の竪樋９１の下端を挿入する。この後、施工者は下接続体５０を下流側の竪樋９２に接続する。そして、下接続体５０を樋控え具８０を介して建物外壁９０に固定する。
【００８６】
次いで施工者は、アンテナ２が放送電波を最も強く受信できるよう、アンテナ竪樋１を上流側の竪樋９１及び下流側の竪樋９２に対して回動させる。このときアンテナ竪樋１は、固定された下接続体５０の保持体６０に対し、樋体１０が回動自在である。また竪樋８と接続口４５の開口縁との間に一定以上の間隙８４を有する。このため、施工者はアンテナ２の向きを回転して微調整することができる。微調整後、施工者は、アンテナ竪樋１を、別の樋控え具８０を用いて固定する。
【００８７】
次に施工者は、アンテナ竪樋１の上接続体４０を回転させて、膨出部４２０を建物外壁９０に沿わせる。そして、施工者は、ロック部材４４を回転させて、上接続体４０の回転をロックする。
【００８８】
本実施形態のアンテナ竪樋１は、排水性能を備えるアンテナである。つまり、従来は屋根の上にアンテナを設置していたが、本実施形態のアンテナ竪樋１によれば、竪樋８と一体化させることができ、建物外観を向上させることができる。
【００８９】
また本実施形態のアンテナ竪樋１は、排水性能を有するアンテナとして、ユニット化されている。したがって、施工者の技量に寄らず建物に簡単に取り付けることができる。これにより、施工後の仕上がりを一定以上のものとすることができる。
【００９０】
また、本実施形態のアンテナ竪樋１と竪樋８との接続構造は、接続口４５の開口縁と竪樋８との間の間隙８４を覆うカバー体３を備えている。このため、接続口４５と竪樋８との間の間隙８４からゴミやチリや砂等が入り込むのを極力減らすことができる。
【００９１】
また本実施形態のカバー体３は、閉塞板３１と貫通孔３２とを備えている。このため、簡単な構造で形成されたものである。したがってカバー体３の製造を容易に行なうことができる。
【００９２】
また本実施形態のアンテナ竪樋１と竪樋８との接続構造は、カバー体３が、隔設された突起部４８に載置されている。このため、カバー体３で接続口４５と竪樋８との間の間隙８４が覆われていたとしても、水受け部４３１上に受けられた雨水を、突起部４８の間を通して、接続口４５内に排水することができる。言い換えると、突起部４８の間が、水受け部４３１と接続口４５とを繋ぐ流通路となる。
【００９３】
また本実施形態のカバー体３の貫通孔３２は、孔部３３と切断可能部３４とを備えている。このため、切断可能部３４を切断するだけで、カバー体３を各種の竪樋に設置することができる。
【００９４】
なお本実施形態のアンテナ竪樋１は、新たに竪樋８を施工する際に取り付けられてもよいし、既に設置された竪樋８の一部を切除して、後付け的に取り付けられてもよい。
【００９５】
また、水受け部４３１は、外縁に立設片４３３が設けられていたが、本発明における水受け部は、単に雨水を受けることができる部分であればよい。つまり水受け部は外縁に立設片が設けられていなくてもよい。
【符号の説明】
【００９６】
１      アンテナ竪樋
１０    樋体
１１    筒状体
１２    排水筒
１５    集水部
１６    外周部
１８    排水路
１９    外筒体
２      アンテナ
２０    スロットアンテナ
２１    スロット
３      カバー体
３１    閉塞板
３２    貫通孔
３３    孔部
３４    切断可能部
３５    連結部
３６    スリット
４０    上接続体
４２    回転部
４２０  膨出部
４２８  膨出部
４３    カバー部
４３１  水受け部
４３３  立設片
４５    接続口
４６    対向部
４８    突起部
８      竪樋
８２    第１の大きさの竪樋
８３    第２の大きさの竪樋
８４    間隙
９０    外壁
９１    上流側の竪樋
９２    下流側の竪樋x
【図１】
0005923704.tif 000002
【図２】
0005923704.tif 000003
【図３】
0005923704.tif 000004
【図４】
0005923704.tif 000005
【図５】
0005923704.tif 000006
【図６】
0005923704.tif 000007
【図７】
0005923704.tif 000008
【図８】
0005923704.tif 000009
【図９】
0005923704.tif 000010
【図１０】
0005923704.tif 000011
【図１１】
0005923704.tif 000012
【図１２】
0005923704.tif 000013
【図１３】
0005923704.tif 000014
【図１４】
0005923704.tif 000015